(57)【要約】【課題】全体としてエネルギー利用効率を高め省エネルギー化を図ることができる建物の換気構造を提供する。【解決手段】建物の換気構造は、住宅２の外壁１５に地窓１７が設けられ、地窓１７の開口部１９に給湯用ヒートポンプ装置１の冷気排出口１３が対向するように給湯用ヒートポンプ装置１が屋外に配設され、冷気排出口１３から排出される冷気を地窓１７から住宅２内に取り込む。【選択図】      図１
2004340447.tif 000002
【特許請求の範囲】
【請求項１】
建物の外壁に通気窓が設けられ、該通気窓の開口部に給湯用ヒートポンプ装置の冷気排出口が対向するように前記給湯用ヒートポンプ装置が屋外に配設され、前記冷気排出口から排出される冷気を前記通気窓から前記建物内に取り込むことを特徴とする建物の換気構造。
【請求項２】
前記通気窓は開閉可能であることを特徴とする請求項１に記載の建物の換気構造。
【請求項３】
前記建物には換気用の天窓が設けられていることを特徴とする請求項１又は請求項２に記載の建物の換気構造。
【発明の詳細な説明】
【０００１】
【発明の属する技術分野】
本発明は、ヒートポンプ装置の排気を利用して建物内の空調の補助を可能とする建物の換気構造に関する。
【０００２】
【従来の技術】
ヒートポンプは低い温度の熱源から冷媒を介して熱を吸収しこの熱を高い温度の場所にくみ上げる働きをするもので、従来より空調機や給湯機に用いられている。このようなヒートポンプを用いたシステムとしては、これまでも例えば深夜電力を有効に利用する等、省エネルギー化を図るものが各種考案されている（例えば、特許文献１参照。）。
【０００３】
【特許文献１】
特開２０００−２５７９７５号公報
【０００４】
【発明が解決しようとする課題】
現在においては、このような省エネルギー化に対する要望はますます強くなっており、従来のヒートポンプシステムのようにヒートポンプに改良を加えヒートポンプ自体におけるエネルギー利用効率の向上を図るのみでなく、ヒートポンプの排気等を利用して例えば建物構造等の全体としてエネルギー利用効率を高めることにより省エネルギー化に寄与することも望まれている。
【０００５】
本発明は、このような事情に鑑みてなされたもので、全体としてエネルギー利用効率を高め省エネルギー化を図ることができる建物の換気構造を提供することを課題としている。
【０００６】
【課題を解決するための手段】
このような課題を解決するために、請求項１に記載の発明は、建物の外壁に通気窓が設けられ、該通気窓の開口部に給湯用ヒートポンプ装置の冷気排出口が対向するように前記給湯用ヒートポンプ装置が屋外に配設され、前記冷気排出口から排出される冷気を前記通気窓から前記建物内に取り込むことを特徴とする。
【０００７】
請求項２に記載の発明は、請求項１に記載の発明において、前記通気窓は開閉可能であることを特徴とする。
【０００８】
請求項３に記載の発明は、請求項１又は請求項２に記載の発明において、前記建物には換気用の天窓が設けられていることを特徴とする。
【０００９】
【発明の実施の形態】
以下、図面を参照して本発明の実施の形態について説明する。
【００１０】
図１は、本発明の実施の形態に係る建物の換気構造の概略を示す。この建物の換気構造では、ヒートポンプ本体３及び貯湯タンク７を備えた給湯用ヒートポンプ装置１が住宅（建物）２に隣接するように屋外に設置されている。ヒートポンプ本体３は給水路４及び給湯路５（図２参照）とを備えた管６によって屋外に設置された隣接する貯湯タンク７に接続されている。
【００１１】
この給湯用ヒートポンプ装置１のヒートポンプサイクルを説明すると、図２に示すように、圧縮器８で圧縮された高温高圧のガス冷媒は温水用熱交換器９に送られて、そこで貯湯タンク７からの送られた水と熱交換し、水に熱を与えて凝縮し液冷媒となる。そして、この液冷媒は絞り機構１０へ送られて減圧された後、蒸発器１１へ送られ吸入された外気から熱を奪って蒸発しガス冷媒となる。このときこの熱交換によって生じた冷気をファン１２によって冷気排出口１３からヒートポンプ本体３の外に吹き出すようになっている。
【００１２】
一方、貯湯タンク７の水はポンプ１４によって貯湯タンク７の下方より給水路４を経由して温水用熱交換器９に送られて、高温高圧のガス冷媒と熱交換し温水となる。この温水は給湯路５を経由して貯湯タンク７に上方から流入し貯湯タンク７に貯えられる。
【００１３】
ヒートポンプ本体３はその冷気排出口１３が住宅２の下方の外壁１５に面するように載置台１６上に設置され、住宅２の外壁の下部の冷気排出口１３に対向する面には通気窓としての地窓１７が設けられている。
【００１４】
地窓１７は図３に示すように、床面１８の近傍に設けられるとともに、冷気排出口１３と略同一の大きさの開口部１９を有している。そして、この開口部１９には網戸２０及び面格子２１が取り付けられている。さらに、この開口部１９には防塵用フィルタが取り付けられていてもよい。
【００１５】
また、地窓１７には図示を略す扉が設けられており開閉可能となっている。この地窓１７を通してヒートポンプ本体３の冷気排出口１３からの冷気を住宅２内に取り込むことができるようになっており、また、地窓１７の扉を開閉することにより冷気を取り入れるか否か、また取り入れる場合の冷気量の調整を可能としている（図１及び図３の矢印参照）。
【００１６】
住宅２には、外壁１５の複数の窓２５，２５，２５に加え、屋根２６には天窓２７が設けられて、地窓１７から住宅２内に冷気を取り込むとともに、住宅２内の熱気を窓２５，２５，２５及び天窓２７から外部に排出することができるようになっている（図１の矢印参照）。とくに、天窓２７は住宅２の上方に位置するため、上方に向かう熱気を効率よく外部に排出することができる。
【００１７】
この実施の形態に係る建物の換気構造では、建物２の外壁１５の下部に地窓１７が設けられ、地窓１７の開口部１９にヒートポンプ本体３の冷気排出口１３が対向するように給湯用ヒートポンプ装置１が屋外に配設されているので、ヒートポンプ本体３の冷気排出口１３から排出される冷気を地窓１７を通して住宅２内に取り込み住宅２の室内の気温を下げることができ、従来では住宅２の外部に放出されていた冷気を利用して空調の補助を行わせることを可能とする。これによって、全体としてエネルギー利用効率を高め省エネルギー化を図ることができる。
【００１８】
また、この建物の換気構造では、扉によって地窓１７の開口部１９の開閉を可能としたので、冷気の取り入れの調整をすることができる。具体的には、冬等の冷気を必要としない場合は扉によって地窓１７の開口部１９を閉塞することにより冷気の住宅２内への流入を阻止することができ、夏等の冷気を必要とする場合は地窓１７の開口部１９を開放することにより冷気を住宅２内へ取り込むことができる。また、開口部１９の開放度合いによって取り入れる冷気の量を調整することも可能となる。
【００１９】
さらに、この建物の換気構造では、屋根２６に天窓２７を設けたので、地窓１７から住宅２内に冷気を取り込む際に、上方に向かう住宅２内の熱気を上方に位置する天窓２７から効率よく外部に排出することができ、さらに省エネルギー化を促進することができる。
【００２０】
なお、本発明は上述した形態に限られるものではなく、例えば冷気排出口１３から地窓１７の開口部１９までを管や防雨カバー等によって直接つなげて通気路を設けることにより冷気排出口１３からの冷気を外部に逃がさないように通気路を経由させて住宅２内に導くようにしてもよい。これによって冷気をより無駄なく住宅２内に取り込めるようになり、さらにエネルギー利用効率を高めることができる。
【００２１】
また、通気路を設けずに、冷気排出口１３を直接開口部１９に当てるようにヒートポンプ本体３を地窓１７に密着させて設置することにより、通気路を設けたと同様の効果を得ることができる。また、管や防雨カバー等を必要としないので部品点数も少なくてすみ、コストも抑えることができる。
【００２２】
【発明の効果】
本発明は、以上説明したように構成したので、全体としてエネルギー利用効率を高め省エネルギー化を図ることができる。
【図面の簡単な説明】
【図１】本発明の実施の形態に係る建物の換気構造を説明するための概念図である。
【図２】図１の建物の換気構造の給湯用ヒートポンプ装置の概略構成を示す。
【図３】地窓からの冷気の取り入れを説明するための概念図である。
【符号の説明】
１      給湯用ヒートポンプ装置
２      住宅（建物）
３      ヒートポンプ本体
７      貯湯タンク
１３      冷気排出口
１５      外壁
１７      地窓（通気窓）
１９      開口部
２７      天窓
【図１】
2004340447.tif 000003
【図２】
2004340447.tif 000004
【図３】
2004340447.tif 000005